【手続補正書】
【提出日】平成15年12月26日(2003.12.26)
【手続補正１】
【補正対象書類名】特許請求の範囲
【補正対象項目名】全文
【補正方法】変更
【補正の内容】
【特許請求の範囲】
【請求項１】
動画フィルムと関連するサウンドトラックの再生中に補足オーディオコンテンツを供給する補足オーディオコンテンツシステムであって、動画フィルムはその上に識別データを有し、前記補足オーディオコンテンツシステムは、
補足オーディオコンテンツを記憶する記憶装置と、
クロックと、
動画フィルムの再生中に動画フィルムからの識別データに基づいて、時間の付加された識別データを発生するために、前記クロックと共に動作する時間付加器と、
隣接する活動的な部分の間の静かな部分を識別するために補足オーディオコンテンツを前処理する前処理器と、
前記時間の付加された識別データに基づいて、動画フィルムと関連するサウンドトラックの再生と、補足オーディオコンテンツの再生を同期させる同期化器とを有し、前記同期化器は、補足オーディオコンテンツの再生中に静かな部分を伸張し又は減少させるサンプルフォーマッタを有する、補足オーディオコンテンツシステム。
【請求項２】
前記補足オーディオコンテンツは、音楽及びサウンド効果がない、口頭の単語を含む、請求項１に記載の補足オーディオコンテンツシステム。
【請求項３】
前記補足オーディオコンテンツは、代わりの言語のオーディオコンテンツを含む、請求項１に記載の補足オーディオコンテンツシステム。
【請求項４】
前記補足オーディオコンテンツは、記述的な物語風のオーディオコンテンツを含む、請求項１に記載の補足オーディオコンテンツシステム。
【請求項５】
前記同期化器は、動画フィルムの再生と同期させるために、時間の付加された識別データに基づいた再生レートで、補足オーディオコンテンツを再生する、請求項１に記載の補足オーディオコンテンツシステム。
【請求項６】
前記同期化器は、
時間の付加された識別データに基づいて時間基準信号を発生する時間基準発生器と、
時間基準信号に基づいたレートで、補足オーディオコンテンツを再生する出力段階を有する、請求項１に記載の補足オーディオコンテンツシステム。
【請求項７】
前記同期化器は更に、時間の付加された識別データに基づいて、前記時間基準発生器を調整する、時間基準補正コントローラを有する、請求項６に記載の補足オーディオコンテンツシステム。
【請求項８】
前記同期化器は、動画フィルムの再生と同期させるために、時間の付加された識別データに基づいて、補足オーディオコンテンツの再生中に前方にスキップする、請求項１に記載の補足オーディオコンテンツシステム。
【請求項９】
前記同期化器は、動画フィルムの再生と同期させるために、時間の付加された識別データに基づいて、補足オーディオコンテンツの再生中に待つ、請求項１に記載の補足オーディオコンテンツシステム。
【請求項１０】
静かな部分の伸張中は、前のサンプルを保持する、請求項１に記載の補足オーディオコンテンツシステム。
【請求項１１】
更に、インターネットを介して、補足オーディオコンテンツをダウンロードするインターフェースを有する、請求項１に記載の補足オーディオコンテンツシステム。
【請求項１２】
更に、衛星を介して、補足オーディオコンテンツをダウンロードするインターフェースを有する、請求項１に記載の補足オーディオコンテンツシステム。
【請求項１３】
更に、ポイント−ツー−ポイント通信リンクを介して、補足オーディオコンテンツをダウンロードするインターフェースを有する、請求項１に記載の補足オーディオコンテンツシステム。
【請求項１４】
更に、映画の観客により装着され且つ機能的に前記同期化器に接続される、複数のイヤフォンを有する、請求項１に記載の補足オーディオコンテンツシステム。
【請求項１５】
更に、前記同期化器に接続された無線送信機と、前記複数のイヤフォンに接続された少なくとも１つの無線受信機を有する、請求項１４に記載の補足オーディオコンテンツシステム。
【請求項１６】
前記複数のイヤフォンは、複数のオープンフィールドイヤフォンを含む、請求項１４に記載の補足オーディオコンテンツシステム。
【請求項１７】
動画フィルムと関連するサウンドトラックの再生中に補足オーディオコンテンツを供給する補足オーディオコンテンツシステムであって、動画フィルムはその上に識別データを有し、前記補足オーディオコンテンツシステムは、
音楽及びサウンド効果がない、口頭の単語を含む、補足オーディオコンテンツを記憶する記憶装置を有し、
クロックを有し、
動画フィルムの再生中に動画フィルムからの識別データに基づいて、時間の付加された識別データを発生するために、前記クロックと共に動作する時間付加器を有し、
隣接する活動的な部分の間の静かな部分を識別するために補足オーディオコンテンツを前処理する前処理器を有し、
前記時間の付加された識別データに基づいて、動画フィルムと関連するサウンドトラックの再生と、補足オーディオコンテンツの再生を同期させる同期化器を有し、前記同期化器は、
時間の付加された識別データに基づいて時間基準信号を発生する時間基準発生器と、
時間基準信号に基づいたレートで、補足オーディオコンテンツを再生する出力段階と、
補足オーディオコンテンツの再生中に静かな部分を伸張し又は減少させるサンプルフォーマッタとを有する、補足オーディオコンテンツシステム。
【請求項１８】
前記補足オーディオコンテンツは、代わりの言語のオーディオコンテンツと、記述的な物語風のオーディオコンテンツの、少なくとも１つを含む、請求項１７に記載の補足オーディオコンテンツシステム。
【請求項１９】
前記同期化器は更に、時間の付加された識別データに基づいて、前記時間基準発生器を調整する、時間基準補正コントローラを有する、請求項１７に記載の補足オーディオコンテンツシステム。
【請求項２０】
前記同期化器は、動画フィルムの再生と同期させるために、時間の付加された識別データに基づいて、補足オーディオコンテンツの再生中に前方にスキップする、請求項１７に記載の補足オーディオコンテンツシステム。
【請求項２１】
前記同期化器は、動画フィルムの再生と同期させるために、時間の付加された識別データに基づいて、補足オーディオコンテンツの再生中に待つ、請求項１７に記載の補足オーディオコンテンツシステム。
【請求項２２】
前記サンプルフォーマッタは、静かな部分の伸張中は、前のサンプルを保持する、請求項１７に記載の補足オーディオコンテンツシステム。
【請求項２３】
更に、インターネット、衛星及びポイント−ツー−ポイント通信リンクの少なくとも１つを介して、補足オーディオコンテンツをダウンロードするインターフェースを有する、請求項１７に記載の補足オーディオコンテンツシステム。
【請求項２４】
更に、映画の観客により装着され且つ機能的に前記同期化器に接続される、複数のイヤフォンを有する、請求項１７に記載の補足オーディオコンテンツシステム。
【請求項２５】
更に、前記同期化器に接続された無線送信機と、前記複数のイヤフォンに接続された少なくとも１つの無線受信機を有する、請求項２４に記載の補足オーディオコンテンツシステム。
【請求項２６】
動画フィルムと関連するサウンドトラックの再生中に補足オーディオコンテンツを供給する補足オーディオコンテンツシステムであって、動画フィルムはその上に識別データを有し、前記補足オーディオコンテンツシステムは、
音楽及びサウンド効果がない、口頭の単語を含む、補足オーディオコンテンツを記憶する記憶装置を有し、
隣接する活動的な部分の間の静かな部分を識別するために補足オーディオコンテンツを前処理する前処理器を有し、
動画フィルムと関連するサウンドトラックの再生と、補足オーディオコンテンツの再生を同期させる同期化器を有し、前記同期化器は、補足オーディオコンテンツの再生中に静かな部分を伸張し又は減少させるサンプルフォーマッタを有する、補足オーディオコンテンツシステム。
【請求項２７】
前記補足オーディオコンテンツは、代わりの言語のオーディオコンテンツと、記述的な物語風のオーディオコンテンツの、少なくとも１つを含む、請求項２６に記載の補足オーディオコンテンツシステム。
【請求項２８】
前記サンプルフォーマッタは、静かな部分の伸張中は、前のサンプルを保持する、請求項２６に記載の補足オーディオコンテンツシステム。
【請求項２９】
更に、
クロックと、
動画フィルムの再生中に動画フィルムからの識別データに基づいて、時間の付加された識別データを発生するために、前記クロックと共に動作する時間付加器を有する、請求項２６に記載の補足オーディオコンテンツシステム。
【請求項３０】
更に、インターネット、衛星及びポイント−ツー−ポイント通信リンクの少なくとも１つを介して、補足オーディオコンテンツをダウンロードするインターフェースを有する、請求項２６に記載の補足オーディオコンテンツシステム。
【請求項３１】
更に、映画の観客により装着され且つ機能的に前記同期化器に接続される、複数のイヤフォンを有する、請求項２６に記載の補足オーディオコンテンツシステム。
【請求項３２】
更に、前記同期化器に接続された無線送信機と、前記複数のイヤフォンに接続された少なくとも１つの無線受信機を有する、請求項２１に記載の補足オーディオコンテンツシステム。
【請求項３３】
動画フィルムと関連するサウンドトラックの再生中に補足オーディオコンテンツを供給する方法であって、動画フィルムはその上に識別データを有し、前記方法は、
クロックに基づいて及び動画フィルムの再生中に動画フィルムからの識別データに基づいて、時間の付加された識別データを発生し、
前記時間の付加された識別データに基づいて、動画フィルムと関連するサウンドトラックの再生と、補足オーディオコンテンツの再生を同期させる、方法。
【請求項３４】
前記補足オーディオコンテンツは、音楽及びサウンド効果がない、口頭の単語を含む、請求項３３に記載の方法。
【請求項３５】
前記補足オーディオコンテンツは、代わりの言語のオーディオコンテンツを含む、請求項３３に記載の方法。
【請求項３６】
前記補足オーディオコンテンツは、記述的な物語風のオーディオコンテンツを含む、請求項３３に記載の方法。
【請求項３７】
前記同期化することは、動画フィルムの再生と同期させるために、時間の付加された識別データに基づいた再生レートで、補足オーディオコンテンツを再生することを含む、請求項３３に記載の方法。
【請求項３８】
前記同期化することは、
時間の付加された識別データに基づいて時間基準信号を発生し、
時間基準信号に基づいたレートで、補足オーディオコンテンツを再生する、ことを含む請求項３７に記載の方法。
【請求項３９】
前記同期化することは、動画フィルムの再生と同期させるために、時間の付加された識別データに基づいて、補足オーディオコンテンツの再生中に前方にスキップする、請求項３３に記載の方法。
【請求項４０】
前記同期化することは、動画フィルムの再生と同期させるために、時間の付加された識別データに基づいて、補足オーディオコンテンツの再生中に待つ、請求項３３に記載の方法。
【請求項４１】
更に、インターネット、衛星及びポイント−ツー−ポイント通信リンクの少なくとも１つを介して、補足オーディオコンテンツをダウンロードすることを含む、請求項３３に記載の方法。
【請求項４２】
更に、複数のイヤフォンを使用して、映画の観客へ補足オーディオコンテンツを送ることを含む、請求項３３に記載の方法。
【請求項４３】
更に、複数のイヤフォンへ信号を無線で送信することを含む、請求項４２に記載の方法。
【請求項４４】
前記複数のイヤフォンは、複数のオープンフィールドイヤフォンを含む、請求項４２に記載の方法。